(57)【要約】    【課題】  水路に設けるスクリーンの設備を不要とし、除塵設備の構造簡略化を図ることができる除塵機を提供する。    【解決手段】  水路１上に配置する駆動スプロケット11と、水路１中に配置される従動スプロケット12と、幅方向に間隔をおいて配置した複数の無端状ロープ14を駆動及び従動スプロケット11，12間に掛装すると共に、それら複数の無端状ロープ14，14…を連結部材たる横杆15により横方向に連結してなる無端状帯スクリーン13と、この無端状帯スクリーン13を駆動及び従動スプロケット11，12間で回転駆動する駆動モータ20とを備える。駆動モータ20により無端状帯スクリーン13の前面側が上昇するように回転駆動すると、帯スクリーン13前面で捕捉した塵芥は、該帯スクリーン13と共に上昇し、帯スクリーン13が上部で反転することにより、落下堆積する。【選択図】      図１
2007056473.tif 000002
【特許請求の範囲】
【請求項１】
水路上に配置する上部案内輪と、水路中に配置される下部案内輪と、幅方向に間隔をおいて配置した複数の無端状ロープを前記上部及び下部案内輪間に掛装すると共に、それら複数の無端状ロープを連結部材により横方向に連結してなる無端状帯スクリーンと、この無端状帯スクリーンを前記上部及び下部案内輪間で回転駆動する駆動手段とを備えることを特徴とする除塵機。
【請求項２】
前記無端状帯スクリーンにリフターを設けたことを特徴とする請求項１記載の除塵機。
【請求項３】
前記連結部材を案内するガイド部材を、前記無端状帯スクリーンの前側背面に設けたことを特徴とする請求項１又は２記載の除塵機。
【発明の詳細な説明】
【技術分野】
【０００１】
本発明は、水路の塵芥を捕捉する除塵機に関する。
【背景技術】
【０００２】
従来、除塵機として、塵芥等の通過を阻止する複数のバーからなる主スクリーンと、前記主スクリーンで通過を阻止された塵芥等を除去する主スクリーンの背面側で降下し、前面側で上昇するレーキを有する塵芥移送手段と、前記主スクリーンの下部にあってレーキの移動を許容すべく回動する補助スクリーンとを備えたもの（例えば特許文献１）がある。
【特許文献１】特開昭６２−３３９１７号公報
【発明の開示】
【発明が解決しようとする課題】
【０００３】
上記除塵機では、鋼製スクリーンバーなどからなるスクリーンを水路に設ける必要があるため、設備費とメンテナンスが煩雑になる面があり、また、軽量化や低騒音化の要望に十分対応することができなかった。
【０００４】
そこで、本発明は、水路に設けるスクリーンの設備を不要とし、除塵設備の構造簡略化などを図ることができる除塵機を提供することを目的とする。
【課題を解決するための手段】
【０００５】
請求項１の発明は、水路上に配置する上部案内輪と、水路中に配置される下部案内輪と、幅方向に間隔をおいて配置した複数の無端状ロープを前記上部及び下部案内輪間に掛装すると共に、それら複数の無端状ロープを連結部材により横方向に連結してなる無端状帯スクリーンと、この無端状帯スクリーンを前記上部及び下部案内輪間で回転駆動する駆動手段とを備えるものである。
【０００６】
また、請求項２の発明は、前記無端状帯スクリーンにリフターを設けたものである。
【０００７】
また、請求項３の発明は、前記連結部材を案内するガイド部材を、前記無端状帯スクリーンの前側背面に設けたものである。
【発明の効果】
【０００８】
請求項１の構成によれば、駆動手段により無端状帯スクリーンの前面側が上昇するように回転駆動すると、帯スクリーン前面で捕捉した塵芥は、該帯スクリーンと共に上昇し、帯スクリーンが上部で反転することにより、落下堆積する。このようにロープから構成したスクリーンを上昇させて上部で反転させて塵芥を落下させる方式とすることにより、従来、別個に設置していたスクリーンと除塵部とを一体化させ、設備の簡素化を図ることができる。
【０００９】
また、請求項２の構成によれば、家庭ゴミ類・缶類・樹脂容器などのある程度の大きさと重量を持った流着物などをリフターにより搬送して取り除くことができる。
【００１０】
また、請求項３の構成によれば、ガイド部材が連結部材を案内支持することにより、帯スクリーンを安定して回転駆動することができる。
【発明を実施するための最良の形態】
【００１１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる除塵機を採用することにより、従来にない機能を付加した除塵機が得られ、その除塵機を夫々記述する。
【実施例１】
【００１２】
以下、本発明の実施例を添付図面を参照して説明する。図１〜図５は本発明の実施例１を示す。同図に示すように、水路１には、該水路１の長さ方向と斜交する方向に除塵機２が設けられ、この除塵機２のフレーム３は、基端側３Ｋと先端側３Ｓとが屈曲した側面略へ字状をなし、その基端側３Ｋが、水路１上のベースたる鋼製又はコンクリート製躯体４の上の軸受５に、回動自在に連結支持されている。尚、前記フレーム３は、左右方向両側のガイドフレーム６，６と、これら左右のガイドフレーム６，６を連結する連結フレーム（図示せず）などからなる。
【００１３】
前記除塵機２のフレーム３には、その基端に上部案内輪たる駆動スプロケット11を回動可能に設けると共に、その先端に下部案内輪たる従動スプロケット12を回動可能に設ける。そして、これらスプロケット11，12の間には、無端状帯スクリーン13が掛装される。この無端状帯スクリーン13は、両案内輪たるスプロケット11，12間に、複数の無端状ロープ14，14…を除塵機２の幅方向に略等間隔で間隔をおいて配置し、これら無端状ロープ14，14…を連結部材たる横杆15により連結してなり、この横杆15は無端状ロープ14，14…の長さ方向に略等間隔で設けられ、その横杆15の両端15Ａ，15Ａが左右の前記ガイドフレーム６，６に案内される。ガイドフレーム６は断面略コ字形に形成され、そのコ字状の溝６Ａに前記端部15Ａが挿入されて案内される。尚、前記横杆15は鋼鉄製のものが用いられる。
【００１４】
前記駆動スプロケット11及び従動スプロケット12は、除塵機２のフレーム３の左右方向にそれぞれ設けられ、前記横杆15に係合する歯部（図示せず）を有する。また、駆動スプロケット11，11は駆動軸16に固定され、この駆動軸16は前記フレーム３の長さ方向位置調整可能に設けられ、調整手段17により位置決めされている。この調整手段17は、前記駆動軸16を軸支する軸受18に連結した棒状の引張部材17Ａと、この引張部材17Ａに螺合しフレーム３の受部３Ｕに係止するナット17Ｂとから構成され、ナット17Ｂを締めることにより引張部材17Ａが上方に移動し、これにより駆動軸16が上方に移動し、帯スクリーン13を所定の張力でスプロケット11，12間に掛装することができる。
【００１５】
前記駆動軸16にはチェーンスプロケット19が設けられ、駆動モータ20の回転がチェーン20Ａにより伝達される。尚、前記駆動モータ20は、前記フレーム３に固定した架台21上に設けられている。
【００１６】
前記フレーム３には、前記従動スプロケット12より先端に、ベース部22が設けられ、このベース部22は、水路１の水底１Ａに接地する接地面22Ａを有する。また、ベース部22の前側底部22Ｂには、補助スクリーン23の板片状のバー24が前後方向回動可能に立設され、このバー24は幅方向に間隔をおいて複数設けられ、その補助スクリーン23により、水底１Ａと従動スプロケット12との隙間を通過する塵芥を捕捉し、塵芥が下流に流れることを防止している。
【００１７】
また、前記除塵機２の前方で水路１より上方に引上装置25が設けられ、この引上装置25は、前記除塵機２の基端に連結したロープ26を巻き上げる巻上手段27を備える。したがって、補助スクリーン23などの除塵機２の先端に塵芥が溜まったら、ロープ26を巻き上げることにより、除塵機２の先端側を水路１上まで持ち上げ、それら塵芥等を取り除いたり、従動スプロケット12などのメンテナンスを行うことができる。
【００１８】
前記フレーム３には、前面側の帯スクリーン13をその背面側から案内するガイド部材28が設けられており、このガイド部材28は幅方向に間隔をおいて複数設けられ、この例では３つ設けられ、前記スプロケット11，12間に渡って縦設されている。そして、前記ガイド部材28の側面形状は、前記ガイドフレーム６の前側と略同一形状であり、そのガイド部材28に前記横杆15が摺動支持される。
【００１９】
尚、帯スクリーン13の幅方向両側には、無端状のコネクトロープ29を設け、このコネクトロープ29は横杆15の端部側に固定されており、このコネクトロープ29により横杆15，15…が強固に間隔保持される。尚、前記無端状ロープ14には、例えば、ステンレス製ワイヤーロープ又は強化樹脂ロープなどが用いられ、前記コネクトロープ29には、同様な材質で無端状ロープ14より強固なものが用いられる。
【００２０】
図３などに示すように、前記帯スクリーン13には、リフター31が設けられ、このリフター31は、略Ｌ形の鋼材からなる取付部材32を複数の前記横杆15，15に固定具33，33により固定し、その取付部材32を横方向に複数設け、それら取付部材32の突出した突出部32Ａに通水性を有する板材34を取り付けてなり、この板材34としてはエキスパンドメタルを用い、板材34及び突出部32Ａは帯スクリーン13と略直交方向をなす。尚、リフター31は必要に応じて設けられる。また、板材34に複数の孔を穿設して通水性を付与してもよい。
【００２１】
前記コンクリート躯体４上には、帯スクリーン13により掻き揚げた塵芥が落下集積する塵芥受部35が設けられ、圧縮空気噴射手段36により、捕捉した塵芥を吹き飛ばして前記塵芥受部35に落下させる。その圧縮空気噴射手段36は、駆動スプロケット11で下側に反転した帯スクリーン13の裏面側から前記塵芥受部35に向けて圧縮空気を噴射するノズル37と、このノズル37に圧縮空気を供給するコンプレッサー38と、このコンプレッサー38とノズル37との間に設けたレシーバタンク39などからなる。
【００２２】
次に、前記構成につき、その作用を説明すると、駆動手段たる駆動モータ20により駆動スプロケット11を駆動し、帯スクリーン13の前面側が上昇するように回転駆動すると、帯スクリーン13で捕捉した水路１の塵芥が帯スクリーン13と共に上昇し、駆動スプロケット11を回って反転することにより下方の塵芥受部35に落下する。さらに、反転した位置で、ノズル37からは圧縮空気が噴射されており、帯スクリーン13に付着した塵芥を塵芥受部35に吹き飛ばすことができる。
【００２３】
また、帯スクリーン13の横杆15にリフター31を装着すれば、家庭ゴミ類・缶類・樹脂容器類などのある程度の大きさと重量を持った流着物を持ち上げて塵芥受部35に落下させ、水路１より取り除くことができる。
【００２４】
また、塵芥受部35に集積させた塵芥等についてはコンベヤ（図示せず）等の搬出装置を組み合わせることにより、躯体４上から任意の位置へ移送することができる。
【００２５】
このように本実施例では、請求項１に対応して、水路１上に配置する上部案内輪たる駆動スプロケット11と、水路１中である水中に配置される下部案内輪たる従動スプロケット12と、幅方向に間隔をおいて配置した複数の無端状ロープ14を駆動及び従動スプロケット11，12間に掛装すると共に、それら複数の無端状ロープ14，14…を連結部材たる横杆15により横方向に連結してなる無端状帯スクリーン13と、この無端状帯スクリーン13を駆動及び従動スプロケット11，12間で回転駆動する駆動手段たる駆動モータ20とを備えるから、駆動モータ20により無端状帯スクリーン13の前面側が上昇するように回転駆動すると、帯スクリーン13前面で捕捉した塵芥は、該帯スクリーン13と共に上昇し、帯スクリーン13が上部で反転することにより、落下堆積する。このようにロープなどから構成した帯スクリーン13を上昇させて上部で反転させて塵芥を落下させる方式とすることにより、従来、別個に設置していたスクリーンと除塵部とを一体化させ、設備の簡素化を図ることができる。これに付随して軽量化・低騒音化・低価格化・メンテナンスの容易化を図ることができる。
【００２６】
また、このように本実施例では、請求項２に対応して、前記無端状帯スクリーン13にリフター31を設けたから、家庭ゴミ類・缶類・樹脂容器などのある程度の大きさと重量を持った流着物などをリフターにより搬送して取り除くことができる。
【００２７】
また、このように本実施例では、請求項３に対応して、連結部材たる横杆15を案内するガイド部材15を、無端状帯スクリーン13の前側背面に設けたから、ガイド部材が連結部材を案内支持することにより、帯スクリーンを安定して回転駆動することができる。
【００２８】
また、実施例上の効果として、圧縮空気噴射手段36を設けたから、帯スクリーン13により捕捉した塵芥を吹き飛ばして前記塵芥受部35に確実に落下させることができる。
【００２９】
尚、本発明は、前記実施例に限定されるものではなく、種々の変形実施が可能である。例えば、帯スクリーンの駆動手段や駆動方法は適宜選定できる。
【図面の簡単な説明】
【００３０】
【図１】本発明の実施例１を示すの側面図である。
【図２】同上、正面図である。
【図３】同上、リフターの側面図である。
【図４】同上、除塵機基端側の側面図である。
【図５】同上、圧縮空気噴射手段の要部説明図である。
【符号の説明】
【００３１】
１  水路
２  除塵機
３  フレーム
11  駆動スプロケット（上部案内輪）
12  従動スプロケット（下部案内輪）
13  無端状帯スクリーン
14  無端状ロープ
15  横杆（連結部材）
20  駆動モータ（駆動手段）
31  リフター
【図１】
2007056473.tif 000003
【図２】
2007056473.tif 000004
【図３】
2007056473.tif 000005
【図４】
2007056473.tif 000006
【図５】
2007056473.tif 000007